(57)【要約】【課題】  色信号の位相が変化した場合でもドット妨害現象を抑制する。【解決手段】  ３ラインＹ／Ｃ分離回路１には、垂直ＢＰＦ２、ＢＰＦ３ａ乃至３ｄ、加算器４ｂ乃至４ｄ、５タップ中間値フィルタ５、遅延回路７ａ、遅延回路７ｃ、色相関検出部２１、インバータＩＮＶ２乃至ＩＮＶ４、及びセレクタＳＥＬ１が設けられ、色相関検出部２１には、加算器４ａ、絶対値回路６、遅延回路７ｂ、比較回路８、及びインバータＩＮＶ１が設けられている。色信号の位相が変化している場合、色相関検出部２１からは“Ｈｉｇｈ”レベルの制御信号がセレクタＳＥＬ１に出力され、セレクタＳＥＬ１は垂直ＢＰＦ出力信号である出力信号Ｂを色信号として選択出力する。色信号の位相が変化しない場合、色相関検出部２１からは“Ｌｏｗ”レベルの制御信号がセレクタＳＥＬ１に出力され、セレクタＳＥＬ１は出力信号Ａを色信号として選択出力する。【選択図】  図１
2007324761.tif 000002
【特許請求の範囲】
【請求項１】
複合映像信号を入力し、垂直方向の非相関検出により前記複合映像信号から色信号を抜き出す垂直ＢＰＦと、
垂直方向に色の相関性があるかの判定を行い、その結果を色相関検出信号として出力する色相関検出部と、
前記垂直ＢＰＦから出力された第１の色信号と前記複合映像信号から水平方向に色副搬送波帯域の信号が取り出された第２の色信号を入力し、垂直方向に色の相関がある場合、前記色相関検出信号の第１の信号レベルにもとづいて前記第１の色信号を色信号として選択出力し、垂直方向に色の相関がない場合、前記第１の信号レベルとは信号レベルの異なる前記色相関検出信号の第２の信号レベルにもとづいて前記第２の色信号を色信号として選択出力する信号選択手段と、
を具備することを特徴とするＹ／Ｃ分離回路。
【請求項２】
複数の複合映像信号を入力し、垂直方向の非相関検出により前記複合映像信号から色信号を抜き出す垂直ＢＰＦと、
２つの異なる前記複合映像信号の差分を算出し、その値が所定値以下或いは以上かを判定し、所定値以下の場合には第１の信号レベルの色相関検出信号を、所定値以上の場合には前記第１の信号レベルとは信号レベルの異なる前記色相関検出信号の第２の信号レベルを、それぞれ出力する色相関検出部と、
前記垂直ＢＰＦから出力された第１の色信号と前記複合映像信号から水平方向に色副搬送波帯域の信号が取り出された第２の色信号を入力し、垂直方向に色の相関がある場合には前記色相関検出信号の前記第１の信号レベルにもとづいて前記第１の色信号を色信号として選択出力し、垂直方向に色の相関がない場合には前記色相関検出信号の前記第２の信号レベルにもとづいて前記第２の色信号を色信号として選択出力する信号選択手段と、
を具備することを特徴とするＹ／Ｃ分離回路。
【請求項３】
第１の複合映像信号、前記第１の複合映像信号よりも１Ｈ遅延された第２の複合映像信号、及び前記第２の複合映像信号よりも１Ｈ遅延された第３の複合映像信号を入力し、垂直方向の非相関検出により前記複合映像信号から色信号を抜き出す垂直ＢＰＦと、
前記第１の複合映像信号と前記第３の複合映像信号の平均値に前記第２の複合映像信号を加算した出力と、その出力を所定期間遅延させた信号との差分を算出して時間的推移を求め、所定の期間差分値が所定の値以下となるか、増加し続けるのか、或いは減少し続けるのか判定し、当てはまる場合には第１の信号レベルの色相関検出信号を、当てはまらない場合には前記第１の信号レベルとは信号レベルの異なる前記色相関検出信号の第２の信号レベルを、それぞれ出力する色相関検出部と、
前記垂直ＢＰＦから出力された第１の色信号と前記複合映像信号から水平方向に色副搬送波帯域の信号が取り出された第２の色信号を入力し、垂直方向に色の相関がある場合、前記色相関検出信号の前記第１の信号レベルにもとづいて前記第１の色信号を色信号として選択出力し、垂直方向に色の相関がない場合、前記色相関検出信号の前記第２の信号レベルにもとづいて前記第２の色信号を色信号として選択出力する信号選択手段と、
を具備することを特徴とするＹ／Ｃ分離回路。
【請求項４】
複合映像信号を入力し、垂直方向の非相関検出により前記複合映像信号から色信号を抜き出す垂直ＢＰＦと、
前記垂直ＢＰＦから出力された第１の色信号と前記複合映像信号から水平方向に色副搬送波帯域の信号が取り出された第２の色信号を比較し、所定期間ごとに比較結果を観測し、任意回数前記第１の色信号が前記第２の色信号よりも大きいかどうかの判定を行い、大きい場合には第１の信号レベルの色相関検出信号を、小さい場合には前記第１の信号レベルとは信号レベルの異なる前記色相関検出信号の第２の信号レベルを、それぞれ出力する色相関検出部と、
前記第１の色信号と前記第２の色信号を入力し、垂直方向に色の相関がある場合には前記色相関検出信号の前記第１の信号レベルにもとづいて前記第１の色信号を色信号として選択出力し、垂直方向に色の相関がない場合には前記色相関検出信号の前記第２の信号レベルにもとづいて前記第２の色信号を色信号として選択出力する信号選択手段と、
を具備することを特徴とするＹ／Ｃ分離回路。
【請求項５】
複合映像信号を入力し、垂直方向の非相関検出により前記複合映像信号から色信号を抜き出す垂直ＢＰＦと、
前記垂直ＢＰＦから出力された第１の色信号を所定期間遅延させた第１の信号と、前記第１の信号を前記所定期間遅延させた第２の信号と、前記第２の信号を前記所定期間遅延させた第３の信号とを比較して、いずれか１つでも異なる状態であるかの判定を行い、いずれか１つでも異なる場合には第１の信号レベルの色相関検出信号を、異ならない場合には前記第１の信号レベルとは信号レベルの異なる前記色相関検出信号の第２の信号レベルを、それぞれ出力する色相関検出部と、
前記第１の色信号と前記複合映像信号から水平方向に色副搬送波帯域の信号が取り出された第２の色信号を入力し、垂直方向に色の相関がある場合には前記色相関検出信号の前記第１の信号レベルにもとづいて前記第１の色信号を色信号として選択出力し、垂直方向に色の相関がない場合には前記色相関検出信号の前記第２の信号レベルにもとづいて前記第２の色信号を色信号として選択出力する信号選択手段と、
を具備することを特徴とするＹ／Ｃ分離回路。
【発明の詳細な説明】
【技術分野】
【０００１】
本発明は、色信号と輝度信号が混合されている複合映像信号から色信号と輝度信号を分離するY／Ｃ分離回路に関する。
【背景技術】
【０００２】
アナログテレビ放送を受信してテレビ受像機に映像を映し出すには、放送局から送信される色副搬送波を色差信号で直交変調して輝度信号に重畳した信号である複合映像信号（コンポジット映像信号とも呼称される）を、受信機側で色信号と輝度信号とに分離する。この分離をＹ／Ｃ分離と呼ばれ、Ｙ／Ｃ分離を行う方法として複合映像信号の隣り合う複数のラインの相関性を利用してＹ／Ｃ分離を行うラインＹ／Ｃ分離が用いられている（例えば、特許文献１参照。）。
【０００３】
特許文献１などに記載されているＹ／Ｃ分離回路では、色信号の位相が変化しない場合、色信号と輝度信号とを正しくＹ／Ｃ分離（ノイズのないきれいな信号に分離）できる。ところが、水平方向に色の変わり目がある場合（色信号の位相が変化した場合）、複合映像信号において、色の違いを色副搬送波の位相を変えることにより実現しているので、色副搬送波の周波数成分をすべて抜き出しきれなくなり、色信号が輝度信号に漏れ込むドット妨害現象が発生するという問題点がある。また、輝度信号が色信号に漏れ込むと色の境界が不明瞭になるという問題点がある。
【特許文献１】特開２００２−２７４９３号公報（頁１１、図１１）
【発明の開示】
【発明が解決しようとする課題】
【０００４】
本発明は、色信号の位相が変化した場合でもドット妨害現象を抑制することができるＹ／Ｃ分離回路を提供する。
【課題を解決するための手段】
【０００５】
上記目的を達成するために、本発明の一態様のＹ／Ｃ分離回路は、複合映像信号を入力し、垂直方向の非相関検出により前記複合映像信号から色信号を抜き出す垂直ＢＰＦと、垂直方向に色の相関性があるかの判定を行い、その結果を色相関検出信号として出力する色相関検出部と、前記垂直ＢＰＦから出力された第１の色信号と前記複合映像信号から水平方向に色副搬送波帯域の信号が取り出された第２の色信号を入力し、垂直方向に色の相関がある場合、前記色相関検出信号の第１の信号レベルにもとづいて前記第１の色信号を色信号として選択出力し、垂直方向に色の相関がない場合、前記第１の信号レベルとは信号レベルの異なる前記色相関検出信号の第２の信号レベルにもとづいて前記第２の色信号を色信号として選択出力する信号選択手段とを具備することを特徴とする。
【０００６】
更に、上記目的を達成するために、本発明の他態様のＹ／Ｃ分離回路は、複数の複合映像信号を入力し、垂直方向の非相関検出により前記複合映像信号から色信号を抜き出す垂直ＢＰＦと、２つの異なる前記複合映像信号の差分を算出し、その値が所定値以下或いは以上かを判定し、所定値以下の場合には第１の信号レベルの色相関検出信号を、所定値以上の場合には前記第１の信号レベルとは信号レベルの異なる前記色相関検出信号の第２の信号レベルを、それぞれ出力する色相関検出部と、前記垂直ＢＰＦから出力された第１の色信号と前記複合映像信号から水平方向に色副搬送波帯域の信号が取り出された第２の色信号を入力し、垂直方向に色の相関がある場合には前記色相関検出信号の前記第１の信号レベルにもとづいて前記第１の色信号を色信号として選択出力し、垂直方向に色の相関がない場合には前記色相関検出信号の前記第２の信号レベルにもとづいて前記第２の色信号を色信号として選択出力する信号選択手段とを具備することを特徴とする。
【発明の効果】
【０００７】
本発明によれば、色信号の位相が変化した場合でもドット妨害現象を抑制することができるＹ／Ｃ分離回路を提供することができる。
【発明を実施するための最良の形態】
【０００８】
以下本発明の実施例について図面を参照しながら説明する。
【実施例１】
【０００９】
まず、本発明の実施例１に係るＹ／Ｃ分離回路について、図面を参照して説明する。図１は３ラインＹ／Ｃ分離回路を示すブロック図、図２は垂直ＢＰＦを示すブロック図である。本実施例では、ドット妨害現象を抑制するために垂直ＢＰＦ及び色相関検出部を設けている。
【００１０】
図１に示すように、３ラインＹ／Ｃ分離回路１には、垂直ＢＰＦ（Band  Pass  Filter）２、ＢＰＦ３ａ乃至３ｄ、加算器４ｂ乃至４ｄ、５タップ中間値フィルタ５、遅延回路７ａ、遅延回路７ｃ、色相関検出部２１、インバータＩＮＶ２乃至ＩＮＶ４、及びセレクタＳＥＬ１が設けられている。
【００１１】
３ラインＹ／Ｃ分離回路１は、ＴＶ放送信号処理回路として用いられ、図示しないＡＤＣ（Analog−to−Digital  Converter）でアナログ信号からデジタル信号に変換された複合映像信号入力−１Ｈ、複合映像信号入力０Ｈ、及び複合映像信号入力＋１Ｈを入力し、Ｙ／Ｃ分離された色信号と輝度信号を出力する。
【００１２】
ここで、複合映像信号入力０Ｈ及び複合映像信号入力＋１Ｈは、例えば、図示しないラインメモリなどにより、複合映像信号入力−１Ｈよりも水平期間遅延されたものである。複合映像信号入力０Ｈである０Ｈ信号は、複合映像信号入力−１Ｈである−１Ｈ信号よりもラインメモリにより１Ｈ遅延（色副搬送波（ｆｓｃ）の１／２遅延）され、複合映像信号入力＋１Ｈである＋１Ｈ信号は複合映像信号入力０Ｈである０Ｈ信号よりもラインメモリにより１Ｈ遅延（色副搬送波（ｆｓｃ）の１／２遅延）されている。このため、色信号は、−１Ｈ信号及び＋１Ｈ信号と０Ｈ信号とでは位相が反転されている。また、輝度信号は−１Ｈ信号及び＋１Ｈ信号と０Ｈ信号とでは位相が同相である。
【００１３】
ここでは、３ラインの複合映像信号を−１Ｈ、０Ｈ、＋１Ｈと表記しているが、例えば０Ｈ、１Ｈ、２Ｈのように３ラインの複合映像信号を順に１Ｈづつ遅延された信号として表記してもよい。
【００１４】
水平ＢＰＦであるＢＰＦ３ａは、−１Ｈ信号を入力し、色副搬送波帯域の信号を取り出し、その信号をインバータＩＮＶ２に出力する。水平ＢＰＦであるＢＰＦ３ｂは、０Ｈ信号を入力し、色副搬送波帯域の信号を取り出し、その信号を信号ｃとして５タップ中間値フィルタ５に出力する。水平ＢＰＦであるＢＰＦ３ｃは、＋１Ｈ信号を入力し、色副搬送波帯域の信号を取り出し、その信号をインバータＩＮＶ３に出力する。
【００１５】
インバータＩＮＶ２は、ＢＰＦ３ａと５タップ中間値フィルタ５の間に設けられ、ＢＰＦ３ａから出力される信号を反転し、信号ａとして５タップ中間値フィルタ５に出力する。インバータＩＮＶ３は、ＢＰＦ３ｃと５タップ中間値フィルタ５の間に設けられ、ＢＰＦ３ｃから出力される信号を反転し、信号ｅとして５タップ中間値フィルタ５に出力する。加算器４ｂは、信号ａと信号ｃを入力し、加算処理（（ａ＋ｂ）／２）した信号ｂを５タップ中間値フィルタ５に出力する。加算器４ｃは、信号ｃと信号ｅを入力し、加算処理（（ｃ＋ｅ）／２）した信号ｄを５タップ中間値フィルタ５に出力する。
【００１６】
５タップ中間値フィルタ５は、インバータＩＮＶ２、インバータＩＮＶ３、加算器４ｂ、及び加算器４ｃとＢＰＦ３ｄとの間に設けられ、信号ａ乃至ｅの５種類（５タップ）の信号を入力し、信号ａ乃至ｅの中で３番目に信号レベルが大きい信号を選択してＢＰＦ３ｄに出力する。
【００１７】
ＢＰＦ３ｄは、５タップ中間値フィルタ５とセレクタＳＥＬ１の間に設けられ、５タップ中間値フィルタ５から出力される信号を入力し、所定帯域の信号が取り出された出力信号ＡをセレクタＳＥＬ１に出力する。ここで、色信号の位相が変化しない場合、出力信号Ａは色信号としてセレクタＳＥＬ１から出力される。
【００１８】
図２に示すように、垂直ＢＰＦ２には、加算器４ｅ、加算器４ｆ、及びインバータＩＮＶ５が設けられている。加算器４ｅは、−１Ｈ信号と＋１Ｈ信号を入力して加算処理（−１Ｈ信号と＋１Ｈ信号の和の１／２）を行い、その結果をインバータＩＮＶ５に出力する。インバータＩＮＶ５は、加算器４ｅから出力される信号を入力し、反転した信号を加算器４ｆに出力する。加算器４ｆは、０Ｈ信号とインバータＩＮＶ５から出力される信号を入力して加算処理を行い、その結果を垂直ＢＰＦ出力信号として遅延回路７ａに出力する。遅延回路７ａは、垂直ＢＰＦ２から出力される垂直ＢＰＦ出力信号を所定期間遅延させ出力信号ＢとしてセレクタＳＥＬ１に出力する。
【００１９】
ここで、垂直ＢＰＦ２は、垂直方向の非相関検出により色信号を抜き出す垂直ＢＰＦである。垂直ＢＰＦはＤＣＦ（垂直ダイナミックコムフィルタ）回路とも呼称され、水平ＢＰＦから出力される波形とは異なり、色信号の位相が変化した場合（水平方向に色の変わり目がある場合）、正確に色副搬送波成分を抽出することができる。ただし、色信号の位相が変化しない場合（垂直方向に色の相関がない場合）、正しく色副搬送波成分を抽出することができない。
【００２０】
色相関検出部２１には、加算器４ａ、絶対値回路６、遅延回路７ｂ、比較回路８、及びインバータＩＮＶ１が設けられている。色相関検出部２１は、色相関性（色信号の位相が変化しているのか）があるかの判断を行う回路で、＋１Ｈ信号と−１Ｈ信号の差分を算出し、その値が所定値以下であれば、垂直方向に色の相関性がある（水平方向に色の変わり目がある場合）と判断して垂直ＢＰＦ出力信号である出力信号Ｂを選択する制御信号Ａ（色相関検出信号）を出力する。
【００２１】
インバータＩＮＶ１は、＋１Ｈ信号を入力し、反転信号を加算器４ａに出力する。加算器４ａは、インバータＩＮＶ１から出力される信号と−１Ｈ信号を入力して加算処理を行い、その結果を絶対値回路６に出力する。
【００２２】
絶対値回路６は、加算器４ａと比較回路８の間に設けられ、加算器４ａから出力される信号の絶対値をとり、その信号を比較回路８に出力する。比較回路８は、絶対値回路６と遅延回路７ｂの間に設けられ、絶対値回路６から出力される信号と所定の比較レベル値の基準信号Ｒｅｆ１を入力して比較演算する。
【００２３】
ここで、絶対値回路６から出力される信号レベルが基準信号Ｒｅｆ１レベルよりも小さい場合（色信号の位相が変化した場合）、比較回路８から出力される信号は“Ｈｉｇｈ”レベルとなり、絶対値回路６から出力される信号レベルが基準信号Ｒｅｆ１レベルよりも大きい場合（色信号の位相が変化しない場合）、比較回路８から出力される信号は“Ｌｏｗ”レベルとなる。
【００２４】
遅延回路７ｂは、比較回路８から出力される信号を所定期間遅延させ、制御信号ＡとしてセレクタＳＥＬ１に出力する。セレクタＳＥＬ１は、出力信号Ａと出力信号Ｂを入力し、制御信号Ａにもとづいて出力信号Ａ或いは出力信号Ｂを選択出力する。セレクタＳＥＬ１は信号選択手段として機能する。制御信号Ａが“Ｈｉｇｈ”レベルの場合（色信号の位相が変化した場合）、出力信号Ｂが色信号として選択出力され、制御信号Ａが“Ｌｏｗ”レベルの場合（色信号の位相が変化しない場合）、出力信号Ａが色信号として選択出力される。
【００２５】
ここでは、セレクタＳＥＬ１に入力される“Ｈｉｇｈ”レベル（第１の信号レベル）の制御信号Ａにより出力信号Ｂが選択され、セレクタＳＥＬ１に入力される“Ｌｏｗ”レベル（第１の信号レベルとは信号レベルの異なる第２の信号レベル）の制御信号Ａにより出力信号Ａが選択されているが、必ずしもこれに限定されるものではない。セレクタＳＥＬ１に入力される“Ｌｏｗ”レベルの制御信号Ａにより出力信号Ｂが選択され、セレクタＳＥＬ１に入力される“Ｈｉｇｈ”レベルの制御信号Ａにより出力信号Ａが選択されてもよい（例えば、色相関検出部の出力側にインバータを追加）。
【００２６】
インバータＩＮＶ４は、セレクタＳＥＬ１と加算器４ｄの間に設けられ、セレクタＳＥＬ１から出力される色信号を反転し、その信号を加算器４ｄに出力する。遅延回路７ｃは、複合映像信号としての０Ｈ信号を入力し、所定期間遅延させ、出力信号Ｃとして加算器４ｄに出力する。
【００２７】
加算器４ｄは、出力信号ＣとインバータＩＮＶ４から出力される信号を入力し、加算処理を行い、複合映像信号である０Ｈ信号から色信号を引き算した信号である輝度信号を出力する。加算器４ｄは、複合映像信号から色信号を引き算して、輝度信号を出力する輝度信号算出手段として機能する。
【００２８】
次に、３ラインＹ／Ｃ分離回路の動作について図３乃至図７を参照して説明する。図３は色位相が変化し、異なるとき（垂直方向に色の相関があるとき）の３ラインの複合映像信号を示す図、図４は色位相が変化し、異なるときの３ラインＹ／Ｃ分離回路から出力される色信号を示す図、図５は色位相が変化し、異なるときの３ラインＹ／Ｃ分離回路から出力される輝度信号を示す図、図６は色位相が変化し、異なるときの従来の３ラインＹ／Ｃ分離回路から出力される色信号を示す図、図７は色位相が変化し、異なるときの従来の３ラインＹ／Ｃ分離回路から出力される輝度信号を示す図である。ここで、従来の３ラインＹ／Ｃ分離回路には垂直ＢＰＦ及び色相関検出部が設けられていない。
【００２９】
図３に示すように、例えばＮＴＳＣ（National  Television  System  Committee）信号での隣り合う３本のラインの複合映像信号入力−１Ｈ、複合映像信号入力０Ｈ、及び複合映像信号入力＋１Ｈの波形は、輝度信号成分と色信号成分が複合化されている。ここでは、複合映像信号入力−１Ｈ、複合映像信号入力０Ｈ、及び複合映像信号入力＋１Ｈの波形は、それぞれ点Ａで色位相が水平方向に１／２周期（（１／２）ｆｓｃ）分ずれている。
【００３０】
色位相が変化し、異なるとき、“Ｈｉｇｈ”レベルの制御信号ＡにもとづいてセレクタＳＥＬ１が出力信号Ｂを色信号として選択出力する。このため、図４に示すように、色信号は複合映像信号としてのＯＨ信号から輝度信号成分を引き算した信号となるので、輝度信号が色信号に漏れ込む現象を大幅に抑制することができる。なお、色位相が変化しない場合、“Ｌｏｗ”レベルの制御信号ＡにもとづいてセレクタＳＥＬ１が出力信号Ａを色信号として選択出力する。このため、従来と同様に輝度信号が色信号に漏れ込む現象を抑制することができる。
【００３１】
色位相が変化し、異なるとき、輝度信号は複合映像信号としてのＯＨ信号から出力信号Ｂである色信号を引き算した信号となる。このため、図５に示すように、輝度信号に色信号成分が漏れ込まないのでドット妨害現象を大幅に抑制することができる。なお、色位相が変化しない場合、加算器４ｄが複合映像信号としてのＯＨ信号から出力信号Ａである色信号を引き算する。このため、従来と同様に輝度信号が色信号に漏れ込む現象を抑制することができる。
【００３２】
一方、従来では、色位相が変化し、異なるときでも５タップ中間値フィルタから出力される色信号が出力される。このため、図６に示すように、輝度信号が色信号に漏れ込むので、色信号は輝度信号成分の影響を受けて色の境界が不明瞭になる。輝度信号は、複合映像信号としてのＯＨ信号から色の境界が不明瞭な色信号を引き算した信号となる。このため、図７に示すように、輝度信号に色信号成分が漏れ込みドット妨害現象が発生する。
【００３３】
上述したように、本実施例のＹ／Ｃ分離回路では、垂直ＢＰＦ２、ＢＰＦ３ａ乃至３ｄ、加算器４ｂ乃至４ｄ、５タップ中間値フィルタ５、遅延回路７ａ、遅延回路７ｃ、色相関検出部２１、インバータＩＮＶ２乃至ＩＮＶ４、及びセレクタＳＥＬ１が設けられている。色相関検出部２１には、加算器４ａ、絶対値回路６、遅延回路７ｂ、比較回路８、及びインバータＩＮＶ１が設けられ、−１Ｈ信号と＋１Ｈ信号が入力され、色信号の位相が変化しているのかを判定する判定信号である制御信号ＡがセレクタＳＥＬ１に出力される。色信号の位相が変化している場合、色相関検出部２１からは“Ｈｉｇｈ”レベルの制御信号ＡがセレクタＳＥＬ１に出力され、セレクタＳＥＬ１は垂直ＢＰＦ出力信号である出力信号Ｂを色信号として選択出力する。色信号の位相が変化しない場合、色相関検出部２１からは“Ｌｏｗ”レベルの制御信号ＡがセレクタＳＥＬ１に出力され、セレクタＳＥＬ１は水平ＢＰＦにより抜き出された色信号である出力信号Ａを色信号として選択出力する。
【００３４】
このため、色信号の位相が変化し、水平方向に色の変わり目がある場合でも色副搬送波の周波数成分を抜き出すことができ、色信号が輝度信号に漏れ込むドット妨害現象を大幅に抑制することができる。また、輝度信号が色信号に漏れ込むことを大幅に抑制でき、色の境界を明瞭にすることができる。
【００３５】
なお、本実施例では、Ｙ／Ｃ分離回路をＴＶ放送信号の処理に適用したが、デジタルカメラやビデオ等のデジタル映像信号処理に適用できる。また、セレクタＳＥＬ１の代わりにスイッチなどを用いてもよい。
【実施例２】
【００３６】
次に、本発明の実施例２に係るＹ／Ｃ分離回路について、図面を参照して説明する。図８は３ラインＹ／Ｃ分離回路を示すブロック図、図９は色相関検出部を示すブロック図である。本実施例では色相関検出部の構成を変更している。
【００３７】
以下、実施例１と同一構成部分には、同一符号を付してその部分の説明を省略し、異なる部分のみ説明する。
【００３８】
図８に示すように、３ラインＹ／Ｃ分離回路１ａには、垂直ＢＰＦ２、ＢＰＦ３ａ乃至３ｄ、加算器４ｂ乃至４ｄ、５タップ中間値フィルタ５、遅延回路７ａ、遅延回路７ｃ、色相関検出部２２、インバータＩＮＶ２乃至ＩＮＶ４、及びセレクタＳＥＬ１が設けられている。３ラインＹ／Ｃ分離回路１ａのセレクタＳＥＬ１は、色相関検出部２２から出力される制御信号Ｂにもとづいて出力信号Ａ或いは出力信号Ｂを色信号として選択出力する。
【００３９】
図９に示すように、色相関検出部２２には、加算器４ｇ、加算器４ｈ、加算器４ｊ、遅延回路７ｄ乃至７ｇ、比較回路８ａ、差分算出回路９、及びインバータＩＮＶ６が設けられている。
【００４０】
色相関検出部２２は、＋１Ｈ信号と−１Ｈ信号の平均値に０Ｈ信号を加算した出力と、その出力を所定期間遅延させた信号との差分を算出してその時間的推移を求める。そして、所定の期間その差分値が所定の値以下となるか、増加し続けるか、或いは減少し続けるかに当てはまる場合、垂直方向に色の相関性がある（水平方向に色の変わり目がある場合）と判断して垂直ＢＰＦ出力信号である出力信号Ｂを選択する制御信号Ａを出力する。
【００４１】
加算器４ｇは、−１Ｈ信号と＋１Ｈ信号を入力して加算処理（−１Ｈ信号と＋１Ｈ信号の和の１／２）を行い、その結果を加算器４ｈに出力する。加算器４ｈは、加算器４ｈと遅延回路７ｄ及びインバータＩＮＶ６の間に設けられ、加算器４ｇから出力される信号と０Ｈ信号を入力して加算処理を行い、その結果を遅延回路７ｄ及びインバータＩＮＶ６に出力する。
【００４２】
遅延回路７ｄは、加算器４ｈと加算器４ｊの間に設けられ、加算器４ｈから出力される信号を所定期間、例えば１周期（ｆｓｃ）分遅延させ、その信号を加算器４ｊに出力する。インバータＩＮＶ６は、加算器４ｈと加算器４ｊの間に設けられ、加算器４ｈから出力される信号を反転させ、その信号を加算器４ｊに出力する。
【００４３】
加算器４ｊは、遅延回路７ｄ及びインバータＩＮＶ６と比較回路８ａ及び遅延回路７ｆの間に設けられ、遅延回路７ｄから出力される信号とインバータＩＮＶ６から出力される信号を入力して加算処理を行い、その結果を比較回路８ａ及び遅延回路７ｆに出力する。
【００４４】
比較回路８ａは、加算器４ｊと遅延回路７ｅの間に設けられ、加算器４ｊから出力される信号と所定の比較レベル値の基準信号Ｒｅｆ２を入力して比較演算する。ここで、加算器４ｊから出力される信号レベルが基準信号Ｒｅｆ２レベルよりも大きい場合、比較回路８ａから出力される信号は“Ｌｏｗ”レベルとなり、加算器４ｊから出力される信号レベルが基準信号Ｒｅｆ２レベルよりも小さい場合、比較回路８ａから出力される信号は“Ｈｉｇｈ”レベルとなる。
【００４５】
遅延回路７ｅは、比較回路８ａと差分算出回路９の間に設けられ、比較回路８ａから出力される信号を所定期間、例えば４周期（４ｆｓｃ）分遅延させ、その信号（変化幅判別信号）を出力側のノードＮａから差分算出回路９に出力する。遅延回路７ｆは、加算器４ｊと差分算出回路９の間に設けられ、加算器４ｊから出力される信号を所定期間、例えば４周期（４ｆｓｃ）分遅延させ、その信号（符号のみ遅延された符号変化判別信号）を出力側のノードＮｂから差分算出回路９に出力する。
【００４６】
差分算出回路９は、遅延回路７ｅ及び遅延回路７ｆとインバータＩＮＶ７の間に設けられ、遅延回路７ｅのノードＮａの信号と遅延回路７ｆのノードＮｂの信号を入力し、差分検出を行う。ここで、ノードＮａの信号とノードＮｂの信号との差分値が所定の範囲以下か、増加し続けるか、或いは減少し続けるかの場合、差分算出回路９から出力される信号は“Ｈｉｇｈ”レベルとなり、ノードＮａの信号とノードＮｂの信号との差分値が所定の範囲以下か、増加し続けるか、或いは減少し続けるかに当てはまらない場合、差分算出回路９から出力される信号は“Ｌｏｗ”レベルとなる。
【００４７】
遅延回路７ｇは、差分算出回路９から出力される信号を所定期間遅延させ出力信号ＢとしてセレクタＳＥＬ１に出力する。ここで、制御信号Ｂが“Ｈｉｇｈ”レベルのとき、色信号の位相が変化した場合の色信号としての出力信号Ｂを選択する信号となる。一方、制御信号Ｂが“Ｌｏｗ”レベルのとき、色信号の位相が変化しない場合の色信号としての出力信号Ａを選択する信号となる。
【００４８】
上述したように、本実施例のＹ／Ｃ分離回路では、垂直ＢＰＦ２、ＢＰＦ３ａ乃至３ｄ、加算器４ｂ乃至４ｄ、５タップ中間値フィルタ５、遅延回路７ａ、遅延回路７ｃ、色相関検出部２２、インバータＩＮＶ２乃至ＩＮＶ４、及びセレクタＳＥＬ１が設けられている。色相関検出部２２には、加算器４ｇ、加算器４ｈ、加算器４ｊ、遅延回路７ｄ乃至７ｇ、比較回路８ａ、差分算出回路９、及びインバータＩＮＶ６が設けられ、−１Ｈ信号、０Ｈ信号、及び＋１Ｈ信号が入力され、色信号の位相が変化しているのかを判定する判定信号である制御信号ＢがセレクタＳＥＬ１に出力される。色信号の位相が変化している場合、色相関検出部２２からは“Ｈｉｇｈ”レベルの制御信号ＢがセレクタＳＥＬ１に出力され、セレクタＳＥＬ１は垂直ＢＰＦ出力信号である出力信号Ｂを色信号として選択出力する。色信号の位相が変化しない場合、色相関検出部２２からは“Ｌｏｗ”レベルの制御信号ＢがセレクタＳＥＬ１に出力され、セレクタＳＥＬ１は水平ＢＰＦにより抜き出された色信号である出力信号Ａを色信号として選択出力する。
【００４９】
このため、色信号の位相が変化し、水平方向に色の変わり目がある場合でも色副搬送波の周波数成分を抜き出すことができ、色信号が輝度信号に漏れ込むドット妨害現象を大幅に抑制することができる。また、輝度信号が色信号に漏れ込むことを大幅に抑制でき、色の境界を明瞭にすることができる。
【００５０】
なお、本実施例では、遅延回路７ｅと遅延回路７ｆで4周期（４ｆｓｃ）分信号を遅延させているが必ずしもこれに限定されるものではない。例えば、８周期分など信号遅延させてもよい。
【実施例３】
【００５１】
次に、本発明の実施例３に係るＹ／Ｃ分離回路について、図面を参照して説明する。図１０は３ラインＹ／Ｃ分離回路を示すブロック図、図１１は色相関検出部を示すブロック図である。本実施例では色相関検出部の構成を変更している。
【００５２】
以下、実施例１と同一構成部分には、同一符号を付してその部分の説明を省略し、異なる部分のみ説明する。
【００５３】
図１０に示すように、３ラインＹ／Ｃ分離回路１ｂには、垂直ＢＰＦ２、ＢＰＦ３ａ乃至３ｄ、加算器４ｂ乃至４ｄ、５タップ中間値フィルタ５、遅延回路７ａ、遅延回路７ｃ、色相関検出部２３、インバータＩＮＶ２乃至ＩＮＶ４、及びセレクタＳＥＬ１が設けられている。３ラインＹ／Ｃ分離回路１ａのセレクタＳＥＬ１は、色相関検出部２３から出力される制御信号Ｃにもとづいて出力信号Ａ或いは出力信号Ｂを色信号として選択出力する。
【００５４】
図１１に示すように、色相関検出部２３には、加算器４ｋ、加算器４ｍ、遅延回路７ｈ、遅延回路７ｊ、遅延回路７ｋ、遅延回路７ｍ、遅延回路７ｎ、比較回路８ｂ乃至８ｄ、及び２入力ＡＮＤ回路ＡＮＤ１が設けられている。
【００５５】
色相関検出部２３は、出力信号Ａと出力信号Ｂを比較し、所定期間ごとに比較結果を観測し、任意回数垂直ＢＰＦ出力信号の方が大きい状態となる場合、垂直方向に色の相関性がある（水平方向に色の変わり目がある場合）と判断して垂直ＢＰＦ出力信号である出力信号Ｂを選択する制御信号Ａを出力する。
【００５６】
比較回路８ｂは、色信号の位相が変化しない場合の色信号としての出力信号Ａと色信号の位相が変化した場合の色信号としての出力信号Ｂを入力して比較演算を行い、その比較演算結果を遅延回路７ｈ及び加算器４ｍに出力する。ここで、出力信号Ａの信号レベルが出力信号Ｂの所定値レベル、例えば垂直ＢＰＦ出力信号レベルの１／２或いは３／４よりも大きい場合、比較回路８ｂから出力される信号は“Ｈｉｇｈ”レベルとなり、出力信号Ａの信号レベルが出力信号Ｂの所定値レベル以下の場合、比較回路８ｂから出力される信号は“Ｌｏｗ”レベルとなる。
【００５７】
遅延回路７ｈは、比較回路８ｂと遅延回路７ｊ及び加算器４ｋの間に設けられ、比較回路８ｂから出力される信号を所定期間、例えば１周期（ｆｓｃ）分遅延させ、その信号を遅延回路７ｊ及び加算器４ｋに出力する。遅延回路７ｊは、遅延回路７ｈと遅延回路７ｋ、加算器４ｋ、及び加算器４ｍの間に設けられ、遅延回路７ｈから出力される信号を所定期間、例えば１周期（ｆｓｃ）分遅延させ、その信号を遅延回路７ｋ、加算器４ｋ、及び加算器４ｍに出力する。遅延回路７ｋは、遅延回路７ｊと遅延回路７ｍ及び加算器４ｋの間に設けられ、遅延回路７ｊから出力される信号を所定期間、例えば１周期（ｆｓｃ）分遅延させ、その信号を遅延回路７ｍ及び加算器４ｋに出力する。遅延回路７ｍは、遅延回路７ｋと加算器４ｍの間に設けられ、遅延回路７ｋから出力される信号を所定期間、例えば１周期（ｆｓｃ）分遅延させ、その結果を加算器４ｍに出力する。
【００５８】
加算器４ｍは、比較回路８ｂから出力される比較演算信号、遅延回路７ｊから出力される信号、及び遅延回路７ｍから出力される信号を入力して加算処理を行い、その結果を比較回路８ｃに出力する。加算器４ｋは、遅延回路７ｈから出力される信号、遅延回路７ｊから出力される信号、及び遅延回路７ｋから出力される信号を入力して加算処理を行い、その結果を比較回路８ｄに出力する。
【００５９】
比較回路８ｃは、加算器４ｍと２入力ＡＮＤ回路ＡＮＤ１の間に設けられ、加算器４ｍから出力される信号と所定の比較レベル値の基準信号Ｒｅｆ３を入力して比較演算する。ここで、加算器４ｍから出力される信号レベルが基準信号Ｒｅｆ３レベルよりも大きい場合、比較回路８ｃから出力される信号は“Ｈｉｇｈ”レベルとなり、加算器４ｍから出力される信号レベルが基準信号Ｒｅｆ３レベルよりも小さい場合、比較回路８ｃから出力される信号は“Ｌｏｗ”レベルとなる。
【００６０】
比較回路８ｄは、加算器４ｋと２入力ＡＮＤ回路ＡＮＤ１の間に設けられ、加算器４ｋから出力される信号と所定の比較レベル値の基準信号Ｒｅｆ４を入力して比較演算する。ここで、加算器４ｋから出力される信号レベルが基準信号Ｒｅｆ４レベルよりも大きい場合、比較回路８ｄから出力される信号は“Ｈｉｇｈ”レベルとなり、加算器４ｋから出力される信号レベルが基準信号Ｒｅｆ４レベルよりも小さい場合、比較回路８ｄから出力される信号は“Ｌｏｗ”レベルとなる。なお、基準信号Ｒｅｆ３と基準信号Ｒｅｆ４の信号レベルは同一の値が好ましい。
【００６１】
２入力ＡＮＤ回路ＡＮＤ１は、比較回路８ｃ及び比較回路８ｄと遅延回路７ｎの間に設けられ、比較回路８ｃから出力される信号と比較回路８ｄから出力される信号を入力して論理演算した信号を遅延回路７ｎに出力する。ここで、比較回路８ｃから出力される信号と比較回路８ｄから出力される信号とが“Ｈｉｇｈ”レベル（色信号の位相が変化した場合）のとき、２入力ＮＡＮＤ回路ＮＡＮＤ１から出力される信号は“Ｈｉｇｈ”レベルとなり、それ以外のとき２入力ＡＮＤ回路ＡＮＤ１から出力される信号は“Ｌｏｗ”レベルとなる。
【００６２】
遅延回路７ｎは、２入力ＡＮＤ回路ＡＮＤ１から出力される信号を所定期間遅延させ出力信号ＣとしてセレクタＳＥＬ１に出力する。ここで、制御信号Ｃが“Ｈｉｇｈ”レベルのとき、色信号の位相が変化した場合の色信号としての出力信号Ｂを選択する信号となる。一方、制御信号Ｂが“Ｌｏｗ”レベルのとき、色信号の位相が変化しない場合の色信号としての出力信号Ａを選択する信号となる。
【００６３】
上述したように、本実施例のＹ／Ｃ分離回路では、垂直ＢＰＦ２、ＢＰＦ３ａ乃至３ｄ、加算器４ｂ乃至４ｄ、５タップ中間値フィルタ５、遅延回路７ａ、遅延回路７ｃ、色相関検出部２３、インバータＩＮＶ２乃至ＩＮＶ４、及びセレクタＳＥＬ１が設けられている。色相関検出部２３には、加算器４ｋ、加算器４ｍ、遅延回路７ｈ、遅延回路７ｊ、遅延回路７ｋ、遅延回路７ｍ、遅延回路７ｎ、比較回路８ｂ乃至８ｄ、及び２入力ＡＮＤ回路ＡＮＤ１が設けられ、水平ＢＰＦにより抜き出された色信号である出力信号Ａと垂直ＢＰＦ出力信号である出力信号Ｂが入力され、色信号の位相が変化しているのかを判定する判定信号である制御信号ＣがセレクタＳＥＬ１に出力される。色信号の位相が変化している場合、色相関検出部２３からは“Ｈｉｇｈ”レベルの制御信号ＣがセレクタＳＥＬ１に出力され、セレクタＳＥＬ１は出力信号Ｂを色信号として選択出力する。色信号の位相が変化しない場合、色相関検出部２３からは“Ｌｏｗ”レベルの制御信号ＣがセレクタＳＥＬ１に出力され、セレクタＳＥＬ１は出力信号Ａを色信号として選択出力する。
【００６４】
このため、色信号の位相が変化し、水平方向に色の変わり目がある場合でも色副搬送波の周波数成分を抜き出すことができ、色信号が輝度信号に漏れ込むドット妨害現象を大幅に抑制することができる。また、輝度信号が色信号に漏れ込むことを大幅に抑制でき、色の境界を明瞭にすることができる。
【００６５】
なお、本実施例では、遅延回路７ｈ、遅延回路７ｊ、遅延回路７ｋ、及び遅延回路７ｍで１周期（ｆｓｃ）分信号を遅延させているが必ずしもこれに限定されるものではない。例えば、２周期分或いは３周期分など信号遅延させてもよい。
【実施例４】
【００６６】
次に、本発明の実施例４に係るＹ／Ｃ分離回路について、図面を参照して説明する。図１２は３ラインＹ／Ｃ分離回路を示すブロック図である。本実施例では色相関検出部の構成を変更している。
【００６７】
以下、実施例１と同一構成部分には、同一符号を付してその部分の説明を省略し、異なる部分のみ説明する。
【００６８】
図１２に示すように、３ラインＹ／Ｃ分離回路１ｃには、垂直ＢＰＦ２、ＢＰＦ３ａ乃至３ｄ、加算器４ｂ乃至４ｄ、５タップ中間値フィルタ５、遅延回路７ａ、遅延回路７ｃ、色相関検出部２４、インバータＩＮＶ２乃至ＩＮＶ４、及びセレクタＳＥＬ１が設けられている。
【００６９】
色相関検出部２４には、遅延回路７ｐ、遅延回路７ｑ、遅延回路７ｒ、遅延回路７ｓ、Ｅｘ−ＯＲ回路１１ａ、Ｅｘ−ＯＲ回路１１ｂ、及び２入力ＯＲ回路ＯＲ１が設けられ、色相関性（色信号の位相が変化しているのか）があるかの判断を行う回路である。
【００７０】
色相関検出部２４は、垂直ＢＰＦ出力信号を、例えば２周期（２ｆｓｃ）遅延させた信号と、垂直ＢＰＦ出力信号を、例えば４周期（４ｆｓｃ）遅延させた信号と、垂直ＢＰＦ出力信号を、例えば６周期（６ｆｓｃ）遅延させた信号とを比較して、いずれか１つでも異なる状態の場合、垂直方向に色の相関性がある（水平方向に色の変わり目がある場合）と判断して垂直ＢＰＦ出力信号である出力信号Ｂを選択する制御信号Ｄを出力する。
【００７１】
遅延回路７ｐは、垂直ＢＰＦ２と遅延回路７ｑ及びＥｘ−ＯＲ回路１１ａの間に設けられ、垂直ＢＰＦ出力信号を所定期間、２周期（２ｆｓｃ）分遅延させ、その信号を遅延回路７ｑ及びＥｘ−ＯＲ回路１１ａに出力する。
【００７２】
遅延回路７ｑは、遅延回路７ｐと遅延回路７ｒ、Ｅｘ−ＯＲ回路１１ａ及びＥｘ−ＯＲ回路１１ｂの間に設けられ、遅延回路７ｐから出力される信号を所定期間、２周期（２ｆｓｃ）分遅延させ、その信号を遅延回路７ｒ、Ｅｘ−ＯＲ回路１１ａ、及びＥｘ−ＯＲ回路１１ｂに出力する。
【００７３】
遅延回路７ｒは、遅延回路７ｑとＥｘ−ＯＲ回路１１ｂの間に設けられ、遅延回路７ｒから出力される信号を所定期間、２周期（２ｆｓｃ）分遅延させ、その信号をＥｘ−ＯＲ回路１１ｂに出力する。
【００７４】
Ｅｘ−ＯＲ回路１１ａは、遅延回路７ｐから出力される信号と遅延回路７ｑから出力される信号を入力して論理演算した信号を２入力ＯＲ回路ＯＲ１に出力する。ここで、遅延回路７ｐ及び遅延回路７ｑから出力される信号が符号付信号の場合、Ｅｘ−ＯＲ回路１１ａは、＋或いは−の符号を観測して論理演算する。遅延回路７ｐから出力される信号と遅延回路７ｑから出力される信号とが符号が異なるときが色信号の位相が変化した場合であり、遅延回路７ｐから出力される信号と遅延回路７ｑから出力される信号とが符号が同一のときが色信号の位相が変化しない場合である。色信号の位相が変化した場合、Ｅｘ−ＯＲ回路１１ａから出力される信号は“Ｈｉｇｈ”レベルとなり、それ以外は“Ｌｏｗ”レベルとなる。
【００７５】
また、遅延回路７ｐから出力される信号と遅延回路７ｑから出力される信号とが符号付信号ではない場合、最大ビット幅の半分の値、例えば最大ビットが１０ｂｉｔであれば５１１に対して遅延回路７ｐから出力される信号と遅延回路７ｑから出力される信号とが小さいか、大きいか、或いは同一かをＥｘ−ＯＲ回路１１ａで観測し、論理演算する。この場合でも色信号の位相が変化した場合、Ｅｘ−ＯＲ回路１１ａから出力される信号は“Ｈｉｇｈ”レベルとなり、それ以外は“Ｌｏｗ”レベルとなる。
【００７６】
Ｅｘ−ＯＲ回路１１ｂは、遅延回路７ｑから出力される信号と遅延回路７ｒから出力される信号を入力して論理演算した信号を２入力ＯＲ回路ＯＲ１に出力する。ここで、遅延回路７ｑ及び遅延回路７ｒから出力される信号が符号付信号の場合、Ｅｘ−ＯＲ回路１１ｂは、＋或いは−の符号を観測して論理演算する。遅延回路７ｑから出力される信号と遅延回路７ｒから出力される信号とが符号が異なるときが色信号の位相が変化した場合であり、遅延回路７ｑから出力される信号と遅延回路７ｒから出力される信号とが符号が同一のときが色信号の位相が変化しない場合である。色信号の位相が変化した場合、Ｅｘ−ＯＲ回路１１ｂから出力される信号は“Ｈｉｇｈ”レベルとなり、それ以外は“Ｌｏｗ”レベルとなる。
【００７７】
また、遅延回路７ｑから出力される信号と遅延回路７ｒから出力される信号とが符号付信号ではない場合、最大ビット幅の半分の値、例えば最大ビットが１０ｂｉｔであれば５１１に対して遅延回路７ｑから出力される信号と遅延回路７ｒから出力される信号とが小さいか、大きいか、或いは同一かをＥｘ−ＯＲ回路１１ｂで観測し、論理演算する。この場合でも色信号の位相が変化した場合、Ｅｘ−ＯＲ回路１１ｂから出力される信号は“Ｈｉｇｈ”レベルとなり、それ以外は“Ｌｏｗ”レベルとなる。
【００７８】
２入力ＯＲ回路ＯＲ１は、Ｅｘ−ＯＲ回路１１ａ及びＥｘ−ＯＲ回路１１ｂと遅延回路７ｓの間に設けられ、Ｅｘ−ＯＲ回路１１ａから出力される信号とＥｘ−ＯＲ回路１１ｂから出力される信号を入力して論理演算した信号をインバータＩＮＶ８に出力する。ここで、Ｅｘ−ＯＲ回路１１ａから出力される信号とＥｘ−ＯＲ回路１１ａから出力される信号が“Ｈｉｇｈ”レベル（色信号の位相が変化した場合）の場合、２入力ＯＲ回路ＯＲ１から出力される信号は“Ｈｉｇｈ”レベルとなる。それ以外の場合、２入力ＯＲ回路ＯＲ１から出力される信号は“Ｌｏｗ”レベルとなる。
【００７９】
遅延回路７ｓは、２入力ＯＲ回路ＯＲ１とセレクタＳＥＬ１の間に設けられ、２入力ＯＲ回路ＯＲ１から出力される信号を所定期間遅延させ、制御信号ＤとしてセレクタＳＥＬ１に出力する。ここで、制御信号Ｄが“Ｈｉｇｈ”レベルの場合（色信号の位相が変化した場合）、出力信号Ｂが選択され、制御信号Ｄが“Ｈｉｇｈ”レベルの場合（色信号の位相が変化しない場合）、出力信号Ａが選択されて色信号として出力される。
【００８０】
上述したように、本実施例のＹ／Ｃ分離回路では、垂直ＢＰＦ２、ＢＰＦ３ａ乃至３ｄ、加算器４ｂ乃至４ｄ、５タップ中間値フィルタ５、遅延回路７ａ、遅延回路７ｃ、色相関検出部２４、インバータＩＮＶ２乃至ＩＮＶ４、及びセレクタＳＥＬ１が設けられている。色相関検出部２４には、遅延回路７ｐ、遅延回路７ｑ、遅延回路７ｒ、遅延回路７ｓ、Ｅｘ−ＯＲ回路１１ａ、Ｅｘ−ＯＲ回路１１ｂ、及び２入力ＯＲ回路ＯＲ１が設けられ、垂直ＢＰＦ出力信号が入力され、色信号の位相が変化しているのかを判定する判定信号である制御信号ＤがセレクタＳＥＬ１に出力される。色信号の位相が変化している場合、色相関検出部２４からは“Ｈｉｇｈ”レベルの制御信号ＤがセレクタＳＥＬ１に出力され、セレクタＳＥＬ１は垂直ＢＰＦ出力信号である出力信号Ｂを色信号として選択出力する。色信号の位相が変化しない場合、色相関検出部２４からは“Ｌｏｗ”レベルの制御信号ＤがセレクタＳＥＬ１に出力され、セレクタＳＥＬ１は水平ＢＰＦにより抜き出された色信号である出力信号Ａを色信号として選択出力する。
【００８１】
このため、色信号の位相が変化し、水平方向に色の変わり目がある場合でも色副搬送波の周波数成分を抜き出すことができ、色信号が輝度信号に漏れ込むドット妨害現象を大幅に抑制することができる。また、輝度信号が色信号に漏れ込むことを大幅に抑制でき、色の境界を明瞭にすることができる。
【００８２】
本発明は、上記実施例に限定されるものではなく、発明の趣旨を逸脱しない範囲で、種々、変更してもよい。
【００８３】
例えば、本実施例では、ＮＴＳＣ信号のＹ／Ｃ分離について説明しているが、ＮＴＳＣ信号の代わりにＰＡＬ（Phase  Alternating  Line）信号やＳＥＣＡＭ（Sequential  Couleur  Avec  Memoire）信号などにも適用できる。また、本実施例では複合映像信号を３ラインにしてＹ／Ｃ分離しているが、複合映像信号を２ラインや４ラインなどにしてＹ／Ｃ分離してもよい。
【００８４】
本発明は、以下の付記に記載されているような構成が考えられる。  
（付記１）  複数の複合映像信号を入力し、垂直方向の非相関検出により前記複合映像信号から色信号を抜き出す垂直ＢＰＦと、２つの異なる前記複合映像信号の差分を算出し、その値が所定値以下或いは以上かを判定し、所定値以下の場合には第１の信号レベルの色相関検出信号を、所定値以上の場合には前記第１の信号レベルとは信号レベルの異なる前記色相関検出信号の第２の信号レベルを、それぞれ出力する色相関検出部と、前記垂直ＢＰＦから出力された第１の色信号と前記複合映像信号から水平方向に色副搬送波帯域の信号が取り出された第２の色信号を入力し、垂直方向に色の相関がある場合には前記色相関検出信号の前記第１の信号レベルにもとづいて前記第１の色信号を色信号として選択出力し、垂直方向に色の相関がない場合には前記色相関検出信号の前記第２の信号レベルにもとづいて前記第２の色信号を色信号として選択出力する信号選択手段と、前記複合映像信号から前記信号選択手段から出力された色信号を引き算して、引き算した結果を輝度信号として出力する輝度信号算出手段とを具備するＹ／Ｃ分離回路。
【００８５】
（付記２）  第１の複合映像信号、前記第１の複合映像信号よりも１Ｈ遅延された第２の複合映像信号、及び前記第２の複合映像信号よりも１Ｈ遅延された第３の複合映像信号を入力し、垂直方向の非相関検出により前記複合映像信号から色信号を抜き出す垂直ＢＰＦと、前記第１の複合映像信号と前記第３の複合映像信号の平均値に前記第２の複合映像信号を加算した出力と、その出力を所定期間遅延させた信号との差分を算出して時間的推移を求め、所定の期間差分値が所定の値以下となるか、増加し続けるのか、或いは減少し続けるのか判定し、当てはまる場合には第１の信号レベルの色相関検出信号を、当てはまらない場合には前記第１の信号レベルとは信号レベルの異なる前記色相関検出信号の第２の信号レベルを、それぞれ出力する色相関検出部と、前記垂直ＢＰＦから出力された第１の色信号と前記複合映像信号から水平方向に色副搬送波帯域の信号が取り出された第２の色信号を入力し、垂直方向に色の相関がある場合、前記色相関検出信号の前記第１の信号レベルにもとづいて前記第１の色信号を色信号として選択出力し、垂直方向に色の相関がない場合、前記色相関検出信号の前記第２の信号レベルにもとづいて前記第２の色信号を色信号として選択出力する信号選択手段と、前記複合映像信号から前記信号選択手段から出力された色信号を引き算して、引き算した結果を輝度信号として出力する輝度信号算出手段とを具備するＹ／Ｃ分離回路。
【００８６】
（付記３）  複合映像信号を入力し、垂直方向の非相関検出により前記複合映像信号から色信号を抜き出す垂直ＢＰＦと、前記垂直ＢＰＦから出力された第１の色信号と前記複合映像信号から水平方向に色副搬送波帯域の信号が取り出された第２の色信号を比較し、所定期間ごとに比較結果を観測し、任意回数前記第１の色信号が前記第２の色信号よりも大きいかどうかの判定を行い、大きい場合には第１の信号レベルの色相関検出信号を、小さい場合には前記第１の信号レベルとは信号レベルの異なる前記色相関検出信号の第２の信号レベルを、それぞれ出力する色相関検出部と、前記第１の色信号と前記第２の色信号を入力し、垂直方向に色の相関がある場合には前記色相関検出信号の前記第１の信号レベルにもとづいて前記第１の色信号を色信号として選択出力し、垂直方向に色の相関がない場合には前記色相関検出信号の前記第２の信号レベルにもとづいて前記第２の色信号を色信号として選択出力する信号選択手段と、前記複合映像信号から前記信号選択手段から出力された色信号を引き算して、引き算した結果を輝度信号として出力する輝度信号算出手段とを具備するＹ／Ｃ分離回路。
【００８７】
（付記４）  複合映像信号を入力し、垂直方向の非相関検出により前記複合映像信号から色信号を抜き出す垂直ＢＰＦと、前記垂直ＢＰＦから出力された第１の色信号を所定期間遅延させた第１の信号と、前記第１の信号を前記所定期間遅延させた第２の信号と、前記第２の信号を前記所定期間遅延させた第３の信号とを比較して、いずれか１つでも異なる状態であるかの判定を行い、いずれか１つでも異なる場合には第１の信号レベルの色相関検出信号を、異ならない場合には前記第１の信号レベルとは信号レベルの異なる前記色相関検出信号の第２の信号レベルを、それぞれ出力する色相関検出部と、前記第１の色信号と前記複合映像信号から水平方向に色副搬送波帯域の信号が取り出された第２の色信号を入力し、垂直方向に色の相関がある場合には前記色相関検出信号の前記第１の信号レベルにもとづいて前記第１の色信号を色信号として選択出力し、垂直方向に色の相関がない場合には前記色相関検出信号の前記第２の信号レベルにもとづいて前記第２の色信号を色信号として選択出力する信号選択手段と、前記複合映像信号から前記信号選択手段から出力された色信号を引き算して、引き算した結果を輝度信号として出力する輝度信号算出手段とを具備するＹ／Ｃ分離回路。
【００８８】
（付記５）  前記ＢＰＦは、第１の加算器、第２の加算器、及びインバータから構成されている付記１乃至４のいずれかに記載のＹ／Ｃ分離回路。
【００８９】
（付記６）  前記信号選択手段は、セレクタである付記１乃至５のいずれかに記載のＹ／Ｃ分離回路。
【図面の簡単な説明】
【００９０】
【図１】本発明の実施例１に係る３ラインＹ／Ｃ分離回路を示すブロック図。
【図２】本発明の実施例１に係る垂直ＢＰＦを示すブロック図。
【図３】本発明の実施例１に係る色位相が変化し、異なるときの３ラインの複合映像信号を示す図。
【図４】本発明の実施例１に係る色位相が変化し、異なるときの３ラインＹ／Ｃ分離回路から出力される色信号を示す図。
【図５】本発明の実施例１に係る色位相が変化し、異なるときの３ラインＹ／Ｃ分離回路から出力される輝度信号を示す図。
【図６】本発明の実施例１に係る色位相が変化し、異なるときの従来の３ラインＹ／Ｃ分離回路から出力される色信号を示す図。
【図７】本発明の実施例１に係る色位相が変化し、異なるときの従来の３ラインＹ／Ｃ分離回路から出力される輝度信号を示す図。
【図８】本発明の実施例２に係る３ラインＹ／Ｃ分離回路を示すブロック図。
【図９】本発明の実施例２に係る色相関検出部を示すブロック図。
【図１０】本発明の実施例３に係る３ラインＹ／Ｃ分離回路を示すブロック図。
【図１１】本発明の実施例３に係る色相関検出部を示すブロック図。
【図１２】本発明の実施例４に係る３ラインＹ／Ｃ分離回路を示すブロック図。
【符号の説明】
【００９１】
１、１ａ、１ｂ、１ｃ  ３ラインＹ／Ｃ分離回路
２  垂直ＢＰＦ
３ａ〜ｄ  ＢＰＦ
４ａ〜ｈ、４ｊ、４ｋ、４ｍ  加算器
５  ５タップ中間値フィルタ
６  絶対値回路
７ａ〜ｈ、７ｊ、７ｋ、７ｍ、７ｎ、７ｐ、７ｑ、７ｒ、７ｓ  遅延回路
８、８ａ〜ｄ  比較回路
９  差分算出回路
１１ａ、１１ｂ  Ｅｘ−ＯＲ回路
２１、２２、２３、２４  色相関検出部
ＡＮＤ１  ２入力ＡＮＤ回路
ＩＮＶ１〜６  インバータ
Ｎ１〜３、Ｎａ、Ｎｂ  ノード
ＯＲ１  ２入力ＯＲ回路
Ｒｅｆ１〜４  基準信号
ＳＥＬ１  セレクタ
−１Ｈ、０Ｈ、＋１Ｈ  複合映像信号入力
【図１】
2007324761.tif 000003
【図２】
2007324761.tif 000004
【図３】
2007324761.tif 000005
【図４】
2007324761.tif 000006
【図５】
2007324761.tif 000007
【図６】
2007324761.tif 000008
【図７】
2007324761.tif 000009
【図８】
2007324761.tif 000010
【図９】
2007324761.tif 000011
【図１０】
2007324761.tif 000012
【図１１】
2007324761.tif 000013
【図１２】
2007324761.tif 000014